(57)【特許請求の範囲】
【請求項１】
車輪の回転を阻止する施錠位置と車輪の回転阻止を解除する開錠位置とに移動自在な閂杆と、
閂杆を開錠位置に固定する第１の固定手段と、
閂杆を施錠位置に固定する第２の固定手段と、
閂杆を開錠方向に付勢する第１の付勢手段と、
閂杆を施錠方向に付勢する第２の付勢手段と、
第１の付勢手段による開錠方向への開錠用付勢力と第２の付勢手段による施錠方向への施錠用付勢力とを蓄える蓄力手段と、
第１の固定手段による閂杆の固定を解除するとともに蓄力手段によって蓄えられた施錠用付勢力を解放する操作部と、
第２の固定手段による閂杆の固定を解除するとともに蓄力手段によって蓄えられた開錠用付勢力を解放する錠機構と、
蓄力手段と自転車のスタンドとを連動連結する連動連結手段とを有し、
開錠状態でスタンドを立てた場合、蓄力手段が作動して開錠用付勢力と施錠用付勢力とが蓄えられることを特徴とする自転車用錠装置。
【請求項２】
蓄力手段は、第１および第２の切換位置に移動自在なプッシャーと、プッシャーを第１の切換位置から第２の切換位置に移動させるスライダーと、プッシャーおよびスライダーを切り離し自在に接続する接続手段とを有し、
プッシャーを第２の切換位置に固定する第３の固定手段が設けられ、
連動連結手段はスタンドとスライダーとに接続され、
操作部は、第３の固定手段を作動させてプッシャーを固定させる機能と、接続手段による接続を解除してプッシャーおよびスライダーを切り離す機能とを有し、
プッシャーが第２の切換位置から第１の切換位置へ移動した場合、プッシャーに連動して閂杆が施錠位置から開錠位置へ移動し、
開錠状態でスタンドを立てた場合、プッシャーがスライダーに接続された状態で第１の切換位置から第２の切換位置へ移動することにより、開錠用付勢力と施錠用付勢力とが蓄えられ、
開錠状態でスタンドを倒した場合、スライダーが第２の切換位置から第１の切換位置へ移動することを特徴とする請求項１記載の自転車用錠装置。
【請求項３】
施錠状態と開錠状態とを区別して表示する表示手段が備えられていることを特徴とする請求項１又は請求項２記載の自転車用錠装置。
【請求項４】
上記請求項１から請求項３のいずれか１項に記載の自転車用錠装置を備えたことを特徴とする自転車。
【発明の詳細な説明】
【技術分野】
【０００１】
本発明は、出退自在な閂杆を有する自転車用錠装置および自転車用錠装置を備えた自転車に関する。
【背景技術】
【０００２】
従来、この種の自転車用錠装置としては例えば、図３２，３３に示すように、自転車１１のスタンド装置１２に連動して作動するサークル錠１３がある。サークル錠１３は、後車輪１４の回転を阻止する施錠位置Ａと後車輪１４の回転阻止を解除する開錠位置Ｂとに回動自在な閂杆１５と、シリンダー錠型の施錠機構１６とを有している。閂杆１５の基端部にはレバー１７が設けられている。
【０００３】
スタンド装置１２は、車体フレームに取り付けられる取付板１９と、取付板１９に揺動自在に設けられたスタンド２０と、スタンド２０を倒した際にスタンド２０を持ち上げておくためのばね２１と、スタンド２０を立てた状態でロックするロック装置２２とを有している。
【０００４】
スタンド２０の基端部にはワイヤー２３の一端が接続され、ワイヤー２３の他端がサークル錠１３のレバー１７に接続され、これにより、スタンド装置１２とサークル錠１３とがワイヤー２３を介して連動連結されている。
【０００５】
これによると、駐輪する時には、図３２の実線で示すように、スタンド２０を立てた際に、スタンド２０の一方向への揺動によりワイヤー２３が下方向へ牽引され、図３３の仮想線で示すように、サークル錠１３の閂杆１５が開錠位置Ｂから施錠位置Ａに回動する。これにより、スタンド２０の起立とともに自転車１１が自動的に施錠される。
【０００６】
また、走行する時には、施錠機構１６の鍵穴に鍵を差し込んで回し、施錠機構１６を開錠待機状態にして、図３２の仮想線で示すように、スタンド２０を跳ね上げて横倒させる。これにより、スタンド２０が他方向へ揺動してワイヤー２３が押し上げられ、図３３の実線で示すように、閂杆１５が施錠位置Ａから開錠位置Ｂに回動し、自転車１１が開錠される。
【０００７】
尚、前記のようにスタンド装置１２に連動して作動するサークル錠１３については、下記特許文献１，２に記載されている。
【特許文献１】特開２００２−１７８９７０
【特許文献２】特開２００２−２４９０８８
【発明の開示】
【発明が解決しようとする課題】
【０００８】
しかしながら前記の従来形式では、図３２の仮想線で示すように、スタンド２０を横倒させて自転車１１を走行させているとき、振動やバウンドによってスタンド２０が不用意に揺動して、ワイヤー２３が下方向へ牽引され、走行中に閂杆１５が開錠位置Ｂから施錠位置Ａに回動し、誤って施錠されてしまう虞がある。
【０００９】
また、図３２の実線で示すように、スタンド２０を立てると、これに連動して直ちに自転車１１が自動的に施錠されるため、発進時には、その都度、鍵を回して施錠機構１６を開錠待機状態にする必要がある。したがって、施錠せずに短時間だけ駐輪したい場合等においては、逆に利便性が悪いといった問題がある。
【００１０】
本発明は、走行中にスタンドが不用意に揺動しても、誤って施錠されてしまうのを防止することができ、また、施錠せずに駐輪することも可能な自転車用錠装置、および、このような自転車用錠装置を備えた自転車を提供することを目的とする。
【課題を解決するための手段】
【００１１】
前記目的を達成するために、本発明における自転車用錠装置は、閂杆を開錠位置に固定する第１の固定手段と、閂杆を施錠位置に固定する第２の固定手段と、閂杆を開錠方向に付勢する第１の付勢手段と、閂杆を施錠方向に付勢する第２の付勢手段と、第１の付勢手段による開錠方向への開錠用付勢力と第２の付勢手段による施錠方向への施錠用付勢力とを蓄える蓄力手段と、第１の固定手段による閂杆の固定を解除するとともに蓄力手段によって蓄えられた施錠用付勢力を解放する操作部と、第２の固定手段による閂杆の固定を解除するとともに蓄力手段によって蓄えられた開錠用付勢力を解放する錠機構と、蓄力手段と自転車のスタンドとを連動連結する連動連結手段とを有し、開錠状態でスタンドを立てた場合、蓄力手段が作動して開錠用付勢力と施錠用付勢力とが蓄えられるものである。
【００１２】
これによると、スタンドを跳ね上げて倒した場合、閂杆は第１の固定手段によって開錠位置に固定されているため、走行中にスタンドが不用意に揺動しても、閂杆が開錠位置から施錠位置に移動して誤って施錠されてしまうのを防止することができる。
【００１３】
また、スタンドを立てた場合、閂杆が第１の固定手段により開錠位置に固定されたままの状態で、開錠用付勢力と施錠用付勢力とが蓄えられるだけであり、操作部を操作しない限り、直ちに施錠されることはない。これにより、施錠せずに駐輪することも可能となり、短時間だけ駐輪したい場合等において利便性が良い。
【発明の効果】
【００１４】
以上のように本発明によると、スタンドを跳ね上げて倒した場合、閂杆は第１の固定手段によって開錠位置に固定されているため、走行中にスタンドが不用意に揺動しても、閂杆が開錠位置から施錠位置に移動して誤って施錠されてしまうのを防止することができる。これにより、走行中の安全性が確保される。
【００１５】
また、スタンドを立てた場合、閂杆が第１の固定手段により開錠位置に固定されたままの状態で、開錠用付勢力と施錠用付勢力とが蓄えられるだけなので、操作部を操作しない限り、直ちに施錠されることはない。これにより、施錠せずに駐輪することも可能となり、短時間だけ駐輪したい場合等において利便性が良い。
【発明を実施するための最良の形態】
【００１６】
本第１発明における自転車用錠装置は、車輪の回転を阻止する施錠位置と車輪の回転阻止を解除する開錠位置とに移動自在な閂杆と、閂杆を開錠位置に固定する第１の固定手段と、閂杆を施錠位置に固定する第２の固定手段と、閂杆を開錠方向に付勢する第１の付勢手段と、閂杆を施錠方向に付勢する第２の付勢手段と、第１の付勢手段による開錠方向への開錠用付勢力と第２の付勢手段による施錠方向への施錠用付勢力とを蓄える蓄力手段と、第１の固定手段による閂杆の固定を解除するとともに蓄力手段によって蓄えられた施錠用付勢力を解放する操作部と、第２の固定手段による閂杆の固定を解除するとともに蓄力手段によって蓄えられた開錠用付勢力を解放する錠機構と、蓄力手段と自転車のスタンドとを連動連結する連動連結手段とを有し、開錠状態でスタンドを立てた場合、蓄力手段が作動して開錠用付勢力と施錠用付勢力とが蓄えられるものである。
【００１７】
これによると、（１）スタンドを跳ね上げて倒し、自転車用錠装置を開錠している状態では、閂杆は、第１の付勢手段によって開錠位置に移動しているとともに、第１の固定手段によって開錠位置に固定されている。
【００１８】
（２）その後、スタンドを立てた場合、閂杆が開錠位置に固定されたままの状態で、前記スタンド操作に連動して蓄力手段が作動し、開錠用付勢力と施錠用付勢力とが蓄えられる。
【００１９】
（３）次に、操作部を操作することにより、第１の固定手段による閂杆の固定が解除されるとともに蓄力手段によって蓄えられた施錠用付勢力が解放され、閂杆は、施錠用付勢力によって開錠位置から施錠位置に移動し、第２の固定手段によって施錠位置に固定される。この状態で錠機構から鍵を抜くことにより、自転車用錠装置が施錠状態に保たれる。
【００２０】
（４）その後、自転車用錠装置を開錠する場合、鍵を錠機構に差し込んで操作することにより、第２の固定手段による閂杆の固定が解除されるとともに蓄力手段によって蓄えられた開錠用付勢力が解放され、閂杆は、第１の付勢手段によって施錠位置から開錠位置へ移動し、第１の固定手段によって開錠位置に固定される。これにより、自転車用錠装置が開錠される。
【００２１】
（５）その後、スタンドを跳ね上げて倒し、自転車を発進させる。
前記（１）（５）に記載したように、スタンドを跳ね上げて倒した場合、閂杆は第１の固定手段によって開錠位置に固定されているため、走行中にスタンドが不用意に揺動しても、閂杆が開錠位置から施錠位置に移動して誤って施錠されてしまうのを防止することができる。
【００２２】
また、前記（２）に記載したように、スタンドを立てた場合、閂杆が第１の固定手段により開錠位置に固定されたままの状態で、開錠用付勢力と施錠用付勢力とが蓄えられるだけであり、操作部を操作しない限り、直ちに施錠されることはない。これにより、施錠せずに駐輪することも可能となり、短時間だけ駐輪したい場合等において利便性が良い。
【００２３】
本第２発明における自転車用錠装置は、蓄力手段は、第１および第２の切換位置に移動自在なプッシャーと、プッシャーを第１の切換位置から第２の切換位置に移動させるスライダーと、プッシャーおよびスライダーを切り離し自在に接続する接続手段とを有し、プッシャーを第２の切換位置に固定する第３の固定手段が設けられ、連動連結手段はスタンドとスライダーとに接続され、操作部は、第３の固定手段を作動させてプッシャーを固定させる機能と、接続手段による接続を解除してプッシャーおよびスライダーを切り離す機能とを有し、プッシャーが第２の切換位置から第１の切換位置へ移動した場合、プッシャーに連動して閂杆が施錠位置から開錠位置へ移動し、開錠状態でスタンドを立てた場合、プッシャーがスライダーに接続された状態で第１の切換位置から第２の切換位置へ移動することにより、開錠用付勢力と施錠用付勢力とが蓄えられ、開錠状態でスタンドを倒した場合、スライダーが第２の切換位置から第１の切換位置へ移動するものである。
【００２４】
これによると、（１）スタンドを跳ね上げて倒し、自転車用錠装置を開錠している状態では、閂杆は、第１の付勢手段によって開錠位置に移動しているとともに、第１の固定手段によって開錠位置に固定されている。この際、プッシャーとスライダーとは接続手段で接続された状態で第１の切換位置に移動している。
【００２５】
（２）その後、スタンドを立てた場合、閂杆が開錠位置に固定されたままの状態で、前記スタンドの操作に連動してスライダーが第１の切換位置から第２の切換位置へ移動するとともに、スライダーに接続されたプッシャーも第１の切換位置から第２の切換位置へ移動し、これにより、開錠用付勢力と施錠用付勢力とが蓄えられる。
【００２６】
（３）次に、操作部を操作することにより、プッシャーが第３の固定手段によって第２の切換位置に固定され、プッシャーとスライダーとが切り離され、第１の固定手段による閂杆の固定が解除されるとともに蓄力手段によって蓄えられた施錠用付勢力が解放される。これにより、閂杆は、施錠用付勢力によって開錠位置から施錠位置に移動し、第２の固定手段によって施錠位置に固定される。この状態で錠機構から鍵を抜くことにより、自転車用錠装置が施錠状態に保たれる。
【００２７】
（４）その後、自転車用錠装置を開錠する場合、鍵を錠機構に差し込んで操作することにより、第２の固定手段による閂杆の固定が解除されるとともに蓄力手段によって蓄えられた開錠用付勢力が解放され、プッシャーが第１の付勢手段によって第２の切換位置から第１の切換位置へ移動する。このプッシャーに連動して、閂杆が、施錠位置から開錠位置へ移動し、第１の固定手段によって開錠位置に固定される。これにより、自転車用錠装置が開錠される。
【００２８】
（５）その後、スタンドを跳ね上げて倒すと、前記スタンドの操作に連動してスライダーが第２の切換位置から第１の切換位置へ移動し、プッシャーとスライダーとが接続手段で接続される。
【００２９】
本第３発明における自転車用錠装置は、施錠状態と開錠状態とを区別して表示する表示手段が備えられているものである。
これによると、錠装置の現在の使用状態が施錠状態なのか或いは開錠状態なのかを迅速且つ正確に把握することができる。
【００３０】
本第４発明は、前記第１発明から第３発明のいずれか１項に記載の自転車用錠装置を備えたことを特徴とする自転車である。
以下に、本発明における実施の形態について図面を参照しながら説明する。
（実施の形態１）
図１，図２に示すように、３１は自転車であり、フレーム体３２の後端部には両足スタンド３３が設けられ、フレーム体３２のバックホーク３４にはサークル錠装置３５（自転車用錠装置の一例）が設けられている。サークル錠装置３５は以下のように構成されている。
【００３１】
図３〜図９に示すように、逆Ｕ形状（馬蹄形状）の錠ケース３６内には、後車輪３７の回転を阻止する施錠位置Ａと後車輪３７の回転阻止を解除する開錠位置Ｂとに移動自在な円弧状の閂杆３８と、閂杆３８を開錠方向Ｃに付勢する一方の引張コイルばね３９（第１の付勢手段の一例）と、閂杆３８を施錠方向Ｄに付勢する圧縮コイルばね４０（第２の付勢手段の一例）と、一方の引張コイルばね３９による開錠方向Ｃへの開錠用付勢力と圧縮コイルばね４０による施錠方向Ｄへの施錠用付勢力とを蓄える蓄力手段４２とが設けられている。
【００３２】
図３，図４に示すように、錠ケース３６は、正面ケース３６ａと、正面ケース３６ａの背後に設けられた背面ケース３６ｂとからなる。
また、サークル錠装置３５は、図１７に示すように閂杆３８を開錠位置Ｂに固定する第１の固定手段４４と、図５，図６に示すように閂杆３８を施錠位置Ａに固定する第２の固定手段４５と、第１の固定手段４４による閂杆３８の固定を解除するとともに蓄力手段４２によって蓄えられた施錠用付勢力を解放する操作部４６（図３参照）と、第２の固定手段４５による閂杆３８の固定を解除するとともに蓄力手段４２によって蓄えられた開錠用付勢力を解放する錠機構４７（図３参照）とを有している。
【００３３】
図１７に示すように、第１の固定手段４４は、閂杆３８の内周面に形成されて径方向内側へ突出する固定用突条部６７と、固定用突条部６７の施錠方向Ｄ側の端部に係脱自在な固定用板部６８とを有している。
【００３４】
図５〜図８に示すように、第２の固定手段４５は、錠ケース３６に設けられた固定用部材７７と、閂杆３８の外周面に形成された固定用凹部７８（図８参照）と、圧縮コイルばね７９とを有している。固定用部材７７は、図６に示すように固定用凹部７８に嵌り込んで閂杆３８を施錠位置Ａに固定する第２の固定位置Ｉと、図８に示すように固定用凹部７８から離脱して閂杆３８の固定を解除する第２の固定解除位置Ｊとに移動自在である。尚、圧縮コイルばね７９は固定用部材７７を第２の固定解除位置Ｊから第２の固定位置Ｉに向けて付勢している。
【００３５】
蓄力手段４２は、第１および第２の切換位置Ｅ，Ｆに移動自在なプッシャー４９と、プッシャー４９を第１の切換位置Ｅ（図７，図８参照）から第２の切換位置Ｆ（図５，図６参照）に移動させるスライダー５０と、プッシャー４９およびスライダー５０を切り離し自在に接続するコネクター５１（接続手段の一例）とを有している。
【００３６】
図１０（ａ）に示すように、閂杆３８には空洞部５５が形成され、閂杆３８の開錠方向Ｃ側の端部には閂側係合部５７が設けられている。
図１０（ｂ）に示すように、プッシャー４９は、円弧状のロッド部５３と、ロッド部５３の施錠方向Ｄ側の端部に設けられたプレート部５４およびプッシャー側係合部５６とを有している。図１７，図１９に示すように、プッシャー４９のロッド部５３は閂杆３８の空洞部５５に挿脱自在である。図２７に示すように、プッシャー側係合部５６は閂側係合部５７に開錠方向Ｃから係合可能である。また、プッシャー４９のプレート部５４は閂杆３８の外周側に位置している。
【００３７】
尚、一方の引張コイルばね３９の一端はロッド部５３の端部に接続され、他端は錠ケース３６内の固定片に接続されている。また、圧縮コイルばね４０はロッド部５３に外嵌されている。
【００３８】
図５〜図９および図１０（ｃ）に示すように、スライダー５０は、円弧状に形成され、プッシャー４９の背後において、プッシャー４９と同様に第１および第２の切換位置Ｅ，Ｆに移動自在であり、他方の引張コイルばね４１（第３の付勢手段の一例）によって第１の切換位置Ｅに付勢されている。尚、他方の引張コイルばね４１の一端はスライダー５０に接続され、他端は錠ケース３６内の固定片に接続されている。
【００３９】
スライダー５０の外周面には、径方向外側へ突出する突条部５８が形成され、突条部５８の施錠方向Ｄの端部には凹部５９が形成されている。
図７〜図１４に示すように、コネクター５１は、プッシャー４９に挿通されたピン６１と、ピン６１の先端部に固定された固定板６２と、プッシャー４９と固定板６２との間に設けられた接続片６３と、圧縮コイルばね６４（付勢具）とを有している。ピン６１はプッシャー４９の背後に突出しており、ピン６１の頭部が前記プッシャー側係合部５６に相当している。
【００４０】
接続片６３は、凹部５９に嵌脱自在な凸部６５を有し、閂杆３８の移動方向に直交するピン６１の軸心方向（サークル錠装置３５の厚さ方向）へ移動自在であり、凸部６５が凹部５９に嵌合する接続位置Ｇと凹部５９から離脱する非接続位置Ｈとに切換えられ、且つ、圧縮コイルばね６４の付勢力によって接続位置Ｇ側（手前側）に付勢されている。図１２の実線，図１３の仮想線，図１４（ａ）に示すように、接続片６３が接続位置Ｇに切換えられて凸部６５が凹部５９に嵌合することにより、プッシャー４９とスライダー５０とが開錠方向Ｃと施錠方向Ｄとにおいて接続される。
【００４１】
尚、図１９，図２０に示すように、閂杆３８が第１の固定手段４４によって開錠位置Ｂに固定されている状態で、プッシャー４９が第２の切換位置Ｆに移動することにより、圧縮コイルばね４０が圧縮されて施錠用付勢力が蓄えられるとともに、一方の引張コイルばね３９が引っ張られて開錠用付勢力が蓄えられる。
【００４２】
また、図５〜図８に示すように、プッシャー４９は第３の固定手段５２によって第２の切換位置Ｆに固定される。第３の固定手段５２は、第３の固定位置Ｋおよび固定解除位置Ｌに移動自在な固定用部材８８と、固定用部材８８を第３の固定位置Ｋへ付勢する圧縮コイルばね８９とを有している。固定用部材８８は、錠ケース３６内に設けられており、図５，図６に示すように、第３の固定位置Ｋにおいてプッシャー４９のプレート部５４の開錠方向Ｃ側の端部に係合可能であり、図７，図８に示すように、第３の固定解除位置Ｌにおいてプッシャー４９のプレート部５４から離脱する。
【００４３】
操作部４６は、第１の固定手段４４による閂杆３８の固定を解除する機能と、蓄力手段４２によって蓄えられた施錠用付勢力を解放する機能と、第３の固定手段５２を作動させてプッシャー４９を第２の切換位置Ｆに固定させる機能と、コネクター５１による接続を解除する機能とを有している。
【００４４】
すなわち、図３，図５〜図９に示すように、操作部４６は、押しボタン７０と、押しボタン７０の裏側に設けられた可動部材７１と、圧縮コイルばね７２とを有している。押しボタン７０は錠ケース３６の手前側に設けられている。図１５に示すように、可動部材７１は、固定用板部６８と、コネクター５１による接続を解除する接続解除用板部７３と、押しボタン７０の裏側に当接している受け板部７４とを有している。固定用板部６８と接続解除用板部７３とは受け板部７４の両端に設けられ、図１７に示すように、固定用板部６８は閂杆３８の内周側、接続解除用板部７３は閂杆３８の外周側に位置している。
【００４５】
固定用板部６８には凹部７５が形成され、図１６，図１７，図２３に示すように、固定用突条部６７は凹部７５に嵌脱自在である。可動部材７１は第１の固定位置Ｍと第１の固定解除位置Ｎとに移動自在であり、図１６（ａ），図１７に示すように、第１の固定位置Ｍにおいて、固定用板部６８が固定用突条部６７の施錠方向Ｄ側の端部に係合して、閂杆３８が固定される。また、図１６（ｂ），図２３に示すように、第１の固定解除位置Ｎにおいて、固定用突条部６７が凹部７５に嵌合して閂杆３８の固定が解除されるとともに、接続片６３が接続解除用板部７３によって押されて接続位置Ｇから非接続位置Ｈに切換えられ、コネクター５１による接続が解除される。
【００４６】
また、圧縮コイルばね７２は可動部材７１を第１の固定位置Ｍに付勢しており、圧縮コイルばね７２の付勢力に抗して押しボタン７０を押し込むことで、可動部材７１が第１の固定位置Ｍから第１の固定解除位置Ｎに移動し、これにより、圧縮コイルばね４０が伸長して施錠用付勢力が解放される。
【００４７】
錠機構４７は、第２の固定手段４５による閂杆３８の固定を解除する機能と、蓄力手段４２によって蓄えられた開錠用付勢力を解放する機能とを有している。すなわち、図５〜図９に示すように、錠機構４７は、鍵穴８１を有し且つ錠ケース３６に設けられたシリンダー錠であり、鍵穴８１に差し込まれる鍵８２と一体に回動する回動軸８３と、回動軸８３の先端に設けられた第１のカム８４とを有している。第１のカム８４には、固定用部材７７に係合する第１の係合突起８５と、第２の係合突起９５とが設けられている。
【００４８】
また、錠機構４７と第３の固定手段５２とは連動機構９１を介して連動している。連動機構９１は、錠ケース３６内に上下移動自在に設けられたリンクプレート９２と、錠ケース３６内に備えられた支軸９３に回動自在に設けられた第２のカム９４とを有している。リンクプレート９２の下端は錠機構４７の第１のカム８４の第２の係合突起９５に上方から係合可能である。
【００４９】
また、第２のカム９４には第３および第４の係合突起９６，９７が形成されており、リンクプレート９２の上端は第３の係合突起９６に下方から係合可能である。第４の係合突起９７は固定用部材８８に形成された係合溝９８に嵌め込まれている。
【００５０】
図２６に示すように、鍵８２を鍵穴８１に差し込んで一方向Ｐへ回すことにより、第１のカム８４が一方向Ｐへ回動し、第１の係合突起８５を介して固定用部材７７が第２の固定位置Ｉから第２の固定解除位置Ｊに移動し、一方の引張コイルばね３９が短縮して開錠用付勢力が解放されるとともに、第２の係合突起９５を介してリンクプレート９２が持ち上げられ、第３の係合突起９６を介して第２のカム９４が一方向Ｑ１へ回動し、第４の係合突起９７を介して第３の固定手段５２の固定用部材８８が第３の固定位置Ｋから第３の固定解除位置Ｌに移動する。
【００５１】
また、第３の固定手段５２の固定用部材８８は保持手段１００によって第３の固定解除位置Ｌに保持される。図５〜図８および図１６に示すように、保持手段１００は、リンクプレート９２に設けられた一方の突片１０１と、操作部４６の可動部材７１の接続解除用板部７３に設けられ且つ一方の突片１０１に対して下方から係脱自在な他方の突片１０２とを有している。
【００５２】
図７，図８および図１６（ａ）に示すように、操作部４６の可動部材７１が第１の固定位置Ｍにある場合、他方の突片１０２が一方の突片１０１に下方から係合して、リンクプレート９２の下動が阻止され、これにより、第２のカム９４の他方向Ｑ２への回動が阻止されて、第３の固定手段５２の固定用部材８８が第３の固定解除位置Ｌに保持される。
【００５３】
また、図５，図６および図１６（ｂ）に示すように、押しボタン７０を押して可動部材７１を第１の固定位置Ｍから第１の固定解除位置Ｎに切換えた場合、他方の突片１０２が一方の突片１０１から離脱し、リンクプレート９２が下動可能な状態になり、第３の固定手段５２の固定用部材８８が圧縮コイルばね８９の付勢力により第３の固定解除位置Ｌから第３の固定位置Ｋに移動する。
【００５４】
図１，図２に示すように、両足スタンド３３は、フレーム体３２に取り付けられる取付板１１１と、取付板１１１に揺動自在に設けられたスタンド足１１２と、スタンド足１１２を倒した際にスタンド足１１２を持ち上げておくためのばね１１３と、スタンド足１１２を立てた状態でロックするロック装置１１４とを有している。
【００５５】
図１，図２，図６，図８に示すように、スタンド足１１２の左右片側とスライダー５０の施錠方向Ｄ側の端部とはワイヤー１１５（連動連結手段の一例）を介して連動連結されている。ワイヤー１１５は、アウターケーシング１１６と、アウターケーシング１１６内に挿通されたケーブル１１７とで構成されている。取付板１１１にはケーブル１１７を案内する案内ローラ１１８が設けられている。
【００５６】
以下、前記構成における作用を説明する。
（１）図１の仮想線で示すようにスタンド足１１２を跳ね上げて倒し、図１７，図１８に示すように、閂杆３８が開錠位置Ｂに切換えられてサークル錠装置３５が開錠している状態では、閂杆３８は一方の引張コイルばね３９の引張力（付勢力）によって開錠位置Ｂに移動しているとともに、操作部４６の可動部材７１が圧縮コイルばね７２の付勢力によって第１の固定位置Ｍに移動し、第１の固定手段４４の固定用板部６８が固定用突条部６７の施錠方向Ｄ側の端部に係合している。これにより、閂杆３８は第１の固定手段４４によって開錠位置Ｂに固定されている。
【００５７】
この際、ケーブル１１７は弛んでいるため、スライダー５０は他方の引張コイルばね４１の引張力（付勢力）によって第１の切換位置Ｅに移動し、同様に、プッシャー４９は一方の引張コイルばね３９の引張力（付勢力）によって第１の切換位置Ｅに移動している。また、前記のように可動部材７１が第１の固定位置Ｍに切換えられているため、図１２の実線，図１３の仮想線，図１４（ａ）および図１６（ａ）に示すように、コネクター５１の接続片６３が接続位置Ｇに切換えられて接続片６３の凸部６５が凹部５９に嵌合しており、これにより、プッシャー４９とスライダー５０とが接続されている。
【００５８】
また、第２の固定手段４５の固定用部材７７は第２の固定解除位置Ｊに移動して閂杆３８の外周面に当接しており、さらに、図７，図８に示すように、保持手段１００の他方の突片１０２が一方の突片１０１に下方から係合してリンクプレート９２の下動が阻止され、これにより、第３の固定手段５２の固定用部材８８が第３の固定解除位置Ｌに保持されている。
【００５９】
（２）その後、図１９，図２０に示すように、スタンド足１１２を立てた場合、閂杆３８が開錠位置Ｂに固定されたままの状態で、スライダー５０が、前記スタンド足１１２の操作に連動してケーブル１１７に牽引され、他方の引張コイルばね４１を引き伸ばして第１の切換位置Ｅから第２の切換位置Ｆに移動する。
【００６０】
この際、プッシャー４９とスライダー５０とがコネクター５１を介して接続されているため、スライダー５０と共にプッシャー４９も第１の切換位置Ｅから第２の切換位置Ｆに移動する。前記プッシャー４９の移動に伴って、一方の引張コイルばね３９が引き伸ばされるとともに圧縮コイルばね４０が圧縮されるため、圧縮コイルばね４０によって発生する施錠用付勢力と一方の引張コイルばね３９によって発生する開錠用付勢力とが蓄えられる。
【００６１】
（３）次に、図２１，図２２に示すように、利用者が操作部４６の押しボタン７０を押すことにより、図１６（ｂ）に示すように、可動部材７１が圧縮コイルばね７２の付勢力に抗して第１の固定位置Ｍから第１の固定解除位置Ｎに向かって移動する。前記可動部材７１の移動によって、先ず、他方の突片１０２が一方の突片１０１から離脱し、リンクプレート９２が下動可能な状態になる。これにより、第３の固定手段５２の固定用部材８８は、圧縮コイルばね８９の付勢力により第３の固定解除位置Ｌから第３の固定位置Ｋに移動し、第３の固定位置Ｋにおいてプッシャー４９のプレート部５４の開錠方向Ｃ側の端部に係合する。これにより、プッシャー４９が第２の切換位置Ｆに固定される。
【００６２】
（４）さらに押しボタン７０が奥まで押し込まれることによって、図２３，図２４に示すように、プッシャー４９が第２の切換位置Ｆに固定された直後、図１６（ｂ）に示すように、可動部材７１が第１の固定解除位置Ｎに到達した時点で、閂杆３８の固定用突条部６７が可動部材７１の凹部７５に嵌合するとともに、図１４（ｂ），図１６（ｂ）に示すように、コネクター５１の接続片６３が可動部材７１の接続解除用板部７３によって押されて接続位置Ｇから非接続位置Ｈに切換えられる。
【００６３】
これにより、第１の固定手段４４による閂杆３８の固定が解除されるとともに、圧縮コイルばね４０が伸長して施錠用付勢力が解放され、閂杆３８が圧縮コイルばね４０の施錠用付勢力によって開錠位置Ｂから施錠位置Ａに移動（突出）し、第２の固定手段４５の固定用部材７７が圧縮コイルばね７９の付勢力により第２の固定位置Ｉに移動して固定用凹部７８に嵌り込む。これにより、閂杆３８が第２の固定手段４５によって施錠位置Ａに固定され、サークル錠装置３５が施錠される。
【００６４】
尚、このとき、コネクター５１の接続片６３が非接続位置Ｈに切換えられているため、接続片６３の凸部６５が凹部５９から離脱し、プッシャー４９とスライダー５０との接続が切断されている。また、図２３に示すように、固定用突条部６７が凹部７５に嵌合しているため、可動部材７１は第１の固定解除位置Ｎに維持され、図１６（ｂ）の実線に示すように、押しボタン７０が奥まで押し込まれた状態に保たれる。
【００６５】
その後、利用者が錠機構４７の鍵８２を鍵穴８１から抜き取ることにより、サークル錠装置３５が施錠状態に保たれる。
（５）その後、サークル錠装置３５を開錠する場合、図２５，図２６に示すように、利用者は鍵８２を鍵穴８１に差し込んで一方向Ｐ（開錠方向：例えば時計回り）に回す。これにより、錠機構４７の回動軸８３と共に第１のカム８４が一方向Ｐへ回動し、第１の係合突起８５が変移して、第２の固定手段４５の固定用部材７７が圧縮コイルばね７９の付勢力に抗して第２の固定位置Ｉから第２の固定解除位置Ｊに移動して固定用凹部７８から離脱し、第２の固定手段４５による閂杆３８の固定が解除される。
【００６６】
（６）さらに鍵８２が一方向Ｐへ回されることによって、さらに第１のカム８４が一方向Ｐへ回動し、第２の係合突起９５が変移してリンクプレート９２を持ち上げる。これにより、リンクプレート９２が上動し、第３の係合突起９６が変移して第２のカム９４が一方向Ｑ１へ回動し、第４の係合突起９７を介して第３の固定手段５２の固定用部材８８が圧縮コイルばね８９の付勢力に抗して第３の固定位置Ｋから第３の固定解除位置Ｌに移動する。これにより、固定用部材８８の先端部がプッシャー４９のプレート部５４の開錠方向Ｃ側の端部から離脱し、第３の固定手段５２によるプッシャー４９の固定が解除される。
【００６７】
（７）前記のように第３の固定手段５２によるプッシャー４９の固定が解除されると同時に、図２７，図２８に示すように、一方の引張コイルばね３９が短縮して開錠用付勢力が解放され、一方の引張コイルばね３９の開錠用付勢力によってプッシャー４９が第２の切換位置Ｆから第１の切換位置Ｅに移動する。この際、プッシャー側係合部５６は閂側係合部５７に開錠方向Ｃから係合しているため、プッシャー４９と共に閂杆３８が開錠方向Ｃへ移動して施錠位置Ａから開錠位置Ｂに切換えられる。
【００６８】
閂杆３８が開錠位置Ｂに達すると、閂杆３８の固定用突条部６７が可動部材７１の凹部７５から離脱し、可動部材７１が圧縮コイルばね７２の付勢力により第１の固定解除位置Ｎから第１の固定位置Ｍに押し戻される。これにより、固定用板部６８が固定用突条部６７の施錠方向Ｄ側の端部に係合し、閂杆３８が第１の固定手段４４によって開錠位置Ｂに固定され、サークル錠装置３５が開錠されるとともに、図１６（ａ）に示すように、押しボタン７０が元の突出位置に復帰する。
【００６９】
（８）その後、図１の仮想線で示すように、利用者がスタンド足１１２を跳ね上げて倒した場合、ケーブル１１７が弛み、図１７，図１８に示すように、スライダー５０が他方の引張コイルばね４１の引張力（付勢力）によって第２の切換位置Ｆから第１の切換位置Ｅに移動し、前記（１）で説明した初期状態に戻る。この状態で利用者は自転車３１を発進させる。
【００７０】
前記（１）（８）に記載したように、スタンド足１１２を跳ね上げて倒した場合（図１の仮想線参照）、図１７，図１８に示すように、閂杆３８は第１の固定手段４４（固定用突条部６７＋固定用板部６８）によって開錠位置Ｂに固定されているため、走行中にスタンド足１１２が不用意に揺動しても、閂杆３８が施錠位置Ａに移動して誤って施錠されてしまうのを防止することができる。
【００７１】
また、前記（２）に記載したように、スタンド足１１２を立てた場合（図１の実線参照）、図１９，図２０に示すように、閂杆３８が第１の固定手段４４により開錠位置Ｂに固定されたままの状態で、一方の引張コイルばね３９が引き伸ばされるとともに圧縮コイルばね４０が圧縮されて開錠用付勢力と施錠用付勢力とが蓄えられるだけであり、操作部４６の押しボタン７０を押さない限り、直ちに施錠されることはない。これにより、施錠せずに駐輪することも可能となり、短時間だけ駐輪したい場合等において利便性が良い。
【００７２】
また、前記（３）（４）に記載したように、利用者が操作部４６の押しボタン７０を押すことにより、先ず、図２１，図２２に示すように、プッシャー４９が第３の固定手段５２によって第２の切換位置Ｆに固定され、その直後に、図２３，図２４に示すように、圧縮コイルばね４０が伸長して、閂杆３８が開錠位置Ｂから施錠位置Ａに移動（突出）するとともに、コネクター５１の接続片６３が非接続位置Ｈに切換えられて、プッシャー４９とスライダー５０との接続が切断されるように構成されている。このため、プッシャー４９が圧縮コイルばね４０の付勢力により第２の切換位置Ｆから第１の切換位置Ｅに戻ってしまうのを防止することができ、圧縮コイルばね４０の施錠用付勢力が確実に閂杆３８に伝わって閂杆３８を施錠位置Ａへ移動（突出）させることができる。
（実施の形態２）
次に、本発明における第２の実施の形態を図２９〜図３１に基づいて説明する。
【００７３】
サークル錠装置３５には、施錠状態と開錠状態とを区別して表示する表示手段１２５が備えられている。表示手段１２５は、閂杆３８に形成された施錠表示用着色部１２６および開錠表示用着色部１２７と、錠ケース３６に形成された表示用開口窓１２８とを有している。施錠表示用着色部１２６と開錠表示用着色部１２７とはそれぞれ異なる色に着色されており、例えば、施錠表示用着色部１２６は赤色、開錠表示用着色部１２７は青色に着色されている。
【００７４】
図３０に示すように、閂杆３８が開錠位置Ｂに切換えられているとき、開錠表示用着色部１２７の位置が表示用開口窓１２８の位置に一致し、図３１に示すように、閂杆３８が施錠位置Ａに切換えられているとき、施錠表示用着色部１２６の位置が表示用開口窓１２８の位置に一致するように構成されている。
【００７５】
これによると、図３０に示すように、閂杆３８が開錠位置Ｂに切換えられているとき、利用者は表示用開口窓１２８を通して青色の開錠表示用着色部１２７を目視することができる。また、図３１に示すように、閂杆３８が施錠位置Ａに切換えられているとき、利用者は表示用開口窓１２８を通して赤色の施錠表示用着色部１２６を目視することができる。これにより、利用者はサークル錠装置３５の現在の使用状態が開錠状態なのか或いは施錠状態なのかを目視で迅速且つ確実に認識できる。
【００７６】
尚、前記第２の実施の形態では、赤色の施錠表示用着色部１２６と青色の開錠表示用着色部１２７とを閂杆３８に形成したが、施錠表示用着色部１２６と開錠表示用着色部１２７との間に、別の色（例えば黄色）に着色した中途表示用着色部１２９を形成してもよい。
【００７７】
これによると、万一、閂杆３８が施錠位置Ａと開錠位置Ｂとの間で停止してしまった場合、利用者は表示用開口窓１２８を通して黄色の中途表示用着色部１２９を目視することができる。これにより、利用者はサークル錠装置３５の現在の使用状態が開錠状態でもなく施錠状態でもない異常状態であることを迅速且つ確実に認識でき、直ちに対応することができる。
【００７８】
前記実施の形態２では、施錠表示用着色部１２６を赤色、開錠表示用着色部１２７を青色、中途表示用着色部１２９を黄色に着色しているが、これらの色に限定されるものではなく、施錠表示用着色部１２６と開錠表示用着色部１２７と中途表示用着色部１２９とを異なった色に着色すればよい。
【００７９】
前記各実施の形態では、自転車用錠装置の一例としてサークル錠装置３５（馬蹄錠）を挙げたが、他の形式の錠装置、例えば箱形錠装置であってもよい。また、サークル錠装置３５をバックホーク３４に取付けたが、取付箇所はバックホーク３４に限定されるものではなく、前ホーク１３１に設けて、前車輪１３２を固定する錠装置であってもよい。
【００８０】
前記各実施の形態では、スタンドの一例として両足スタンド３３を挙げたが、一本（片足）スタンドであってもよい。
【産業上の利用可能性】
【００８１】
本発明の錠装置は普通の自転車や電動自転車、三輪自転車等に有用である。
【図面の簡単な説明】
【００８２】
【図１】本発明の実施の形態１におけるサークル錠装置を備えた自転車の側面図
【図２】図１におけるＸ−Ｘ矢視図
【図３】同、サークル錠装置の正面側の斜視図
【図４】同、サークル錠装置の背面側の斜視図
【図５】同、サークル錠装置の施錠状態における内部構造を示す正面図
【図６】同、サークル錠装置の施錠状態における内部構造を示す背面図
【図７】同、サークル錠装置の開錠状態における内部構造を示す正面図
【図８】同、サークル錠装置の開錠状態における内部構造を示す背面図
【図９】図７におけるＸ−Ｘ矢視図
【図１０】同、サークル錠装置の閂杆とプッシャーとコネクターとスライダーとの斜視図
【図１１】同、サークル錠装置のコネクターの正面図
【図１２】同、サークル錠装置の開錠状態におけるコネクターとその周辺部分の側面図
【図１３】同、サークル錠装置のスライダーとコネクターとの正面図
【図１４】同、サークル錠装置のスライダーに対するコネクターの動作を示す平面図
【図１５】同、サークル錠装置の操作部の可動部材の斜視図
【図１６】同、サークル錠装置の可動部材の動作を示す平面図
【図１７】同、スタンドを倒した状態でのサークル錠装置内部の正面側の斜視図
【図１８】図１７におけるサークル錠装置内部の背面側の斜視図
【図１９】同、スタンドを立てた状態でのサークル錠装置内部の正面側の斜視図
【図２０】図１９におけるサークル錠装置内部の背面側の斜視図
【図２１】同、サークル錠装置内部のプッシャーを固定した状態での正面側の斜視図
【図２２】図２１におけるサークル錠装置内部の背面側の斜視図
【図２３】同、施錠状態のサークル錠装置内部の正面側の斜視図
【図２４】図２３におけるサークル錠装置内部の背面側の斜視図
【図２５】同、サークル錠装置内部の閂杆とプッシャーとの固定を解除した状態での正面側の斜視図
【図２６】図２５におけるサークル錠装置内部の背面側の斜視図
【図２７】同、開錠状態のサークル錠装置内部の正面側の斜視図
【図２８】図２７におけるサークル錠装置内部の背面側の斜視図
【図２９】本発明の実施の形態２におけるサークル錠装置の正面側の斜視図
【図３０】同、サークル錠装置の開錠状態における内部構造を示す正面図
【図３１】同、サークル錠装置の施錠状態における内部構造を示す正面図
【図３２】従来のサークル錠装置を備えた自転車の後車輪部分の斜視図
【図３３】同、サークル錠装置の一部拡大断面図
【符号の説明】
【００８３】
３１    自転車
３３    両足スタンド
３５    サークル錠装置（自転車用錠装置）
３７    後車輪
３８    閂杆
３９    一方の引張コイルばね（第１の付勢手段）
４０    圧縮コイルばね（第２の付勢手段）
４２    蓄力手段
４４    第１の固定手段
４５    第２の固定手段
４６    操作部
４７    錠機構
４９    プッシャー
５０    スライダー
５１    コネクター（接続手段）
５２    第３の固定手段
１１５  ワイヤー（連動連結手段）
１２５  表示手段
Ａ      施錠位置
Ｂ      開錠位置
Ｃ      開錠方向
Ｄ      施錠方向
Ｅ      第１の切換位置
Ｆ      第２の切換位置
【図１】
0005116570.tif 000002
【図２】
0005116570.tif 000003
【図３】
0005116570.tif 000004
【図４】
0005116570.tif 000005
【図５】
0005116570.tif 000006
【図６】
0005116570.tif 000007
【図７】
0005116570.tif 000008
【図８】
0005116570.tif 000009
【図９】
0005116570.tif 000010
【図１０】
0005116570.tif 000011
【図１１】
0005116570.tif 000012
【図１２】
0005116570.tif 000013
【図１３】
0005116570.tif 000014
【図１４】
0005116570.tif 000015
【図１５】
0005116570.tif 000016
【図１６】
0005116570.tif 000017
【図１７】
0005116570.tif 000018
【図１８】
0005116570.tif 000019
【図１９】
0005116570.tif 000020
【図２０】
0005116570.tif 000021
【図２１】
0005116570.tif 000022
【図２２】
0005116570.tif 000023
【図２３】
0005116570.tif 000024
【図２４】
0005116570.tif 000025
【図２５】
0005116570.tif 000026
【図２６】
0005116570.tif 000027
【図２７】
0005116570.tif 000028
【図２８】
0005116570.tif 000029
【図２９】
0005116570.tif 000030
【図３０】
0005116570.tif 000031
【図３１】
0005116570.tif 000032
【図３２】
0005116570.tif 000033
【図３３】
0005116570.tif 000034